(57)【要約】【課題】  頭部を小さくして狭い場所で作業する場合にも使い易くし、しかもハンドル操作を軽快に行えるようにした電線の被覆剥離工具を提供する。【解決手段】  先端に下刃６を備えた本体１のほぼ中央部に第１ピン３によりハンドル４の先端を軸支する。第１ピン３に上刃１０を備えた刃物台９と剥離刃１６を備えたスライド受け１５とをスライド自在に支持させ、ハンドル４の第３ピン１４に軸支したリンク１３の先端をこれらの刃物台９とスライド受け１５との後方部分に第２ピン１２により連結する。上刃１０の刃先と第１ピン３と第２ピン１２とが略同一直線上になるように構成し、頭部の小型化を図る。また第２ピン１２の動きをスライド受け１５の溝カム１８により規制することにより、上刃１０の回転中心が第１ピン３よりも上方にシフトしたかのごとき動きをさせ、被覆への切り込み位置とのずれを小さくした。【選択図】    図１
2006087162.tif 000002
【特許請求の範囲】
【請求項１】
本体から下方に延びる下顎の上面に下刃を固定し、本体のほぼ中央部に第１ピンによりハンドルの先端を軸支し、この第１ピンに上刃を備えた刃物台と剥離刃を備えたスライド受けとを長孔によりスライド自在に支持させるとともに、ハンドルの第３ピンに軸支したリンクの先端をこれらの刃物台とスライド受けとの後方部分に第２ピンにより連結した構造を有し、被覆切断時において上刃及び下刃の刃先と第１ピンと第２ピンとが略同一直線上になるように構成し、かつ第２ピンの動きをスライド受けに形成した溝カムにより規制するようにしたことを特徴とする電線の被覆剥離工具。
【請求項２】
スライド受けに形成した溝カムにより、被覆切断時における上刃の回転中心が第１ピンよりも上方にシフトさせたかの如く刃物台を動かすことを特徴とする請求項１記載の電線の被覆剥離工具。
【請求項３】
スライド受けに形成した溝カムを、下部が前方に屈曲した形状のものとしたことを特徴とする請求項２記載の電線の被覆剥離工具。
【発明の詳細な説明】
【技術分野】
【０００１】
本発明は、配線工事などの際に電線の被覆を剥離して芯線を剥き出すために用いられる電線の被覆剥離工具に関するものである。
【背景技術】
【０００２】
電線の被覆剥離工具としては、特許文献１，２に記載される本出願人の工具が広く用いられている。この工具は、図１１、図１２に示すように本体５１から延びる下顎５２の上面に下刃５３を固定するとともに、下顎５２の基部にピン５４によりハンドル５５を軸支し、また本体５１のピン５６にヘッド５７と刃物台５８とスライド受け５９とを支持させ、これらをリンク６０によりハンドル５５と連結した構造のものである。刃物台５８の先端部下面には上刃６１が設けられており、またスライド受け５９の先端は下顎５２の方向に垂下し、その上面には剥離刃６２が設けられている。
【０００３】
下刃５３の上に被覆電線を載せてハンドル５５を閉じると、先ず図１１のようにヘッド５７と刃物台５８とが同時に下顎５２の方向に下がり、上刃６１が電線の被覆に食い込む。さらにハンドル５５を閉じると刃物台５８とスライド受け５９とが図１２のように後退し、上下から上刃６１と剥離刃６２とに挟まれた被覆が電線の芯線から剥離される構造となっている。
【０００４】
ところが上記の工具においては、刃物台５８が開いた状態から閉じるときに、図１３に示すようにピン５６を回転中心とした円弧運動を行うのであるが、被覆切断時における上刃６１及び下刃５３の刃先位置よりもピン５６が上方に位置する。このため図１３に示す寸法Ｌ１が大きくなり、配電盤内部のような狭い場所で作業する場合に使いにくいという問題があった。
【０００５】
この問題を解決して工具の頭部を小型化するためには、図１４に示すように被覆切断時における上刃６１及び下刃５３の刃先位置と同一高さにピン５６を移動させることが考えられる。これにより寸法Ｌ１を寸法Ｌ２に短くすることができる。ところがこのように回転中心となるピン５６の位置を低くすると、図１５に示すように下刃５３に対する上刃６１の軌跡が後退し、被覆への切り込み位置が後方にずれる。この結果、上刃６１による被覆への切り込み位置と下刃５３による被覆への切り込み位置との距離が大きくなり、被覆剥離時に被覆が切断されずに引きちぎられるようになる。従ってハンドル操作に大きな力が必要となり、操作性が悪くなるという問題を生じる。
【特許文献１】実公昭６０−２６４８２号公報
【特許文献２】特公昭６１−２２５２８号公報
【発明の開示】
【発明が解決しようとする課題】
【０００６】
本発明は上記した従来の問題点を解決し、頭部を小さくして狭い場所で作業する場合にも使い易くし、しかも上刃による被覆への切り込み位置と下刃による被覆への切り込み位置とのずれを小さくしてハンドル操作を軽快に行えるようにした電線の被覆剥離工具を提供するためになされたものである。
【課題を解決するための手段】
【０００７】
上記の課題を解決するためになされた本発明の電線の被覆剥離工具は、本体から下方に延びる下顎の上面に下刃を固定し、本体のほぼ中央部に第１ピンによりハンドルの先端を軸支し、この第１ピンに上刃を備えた刃物台と剥離刃を備えたスライド受けとを長孔によりスライド自在に支持させるとともに、ハンドルの第３ピンに軸支したリンクの先端をこれらの刃物台とスライド受けとの後方部分に第２ピンにより連結した構造を有し、被覆切断時において上刃及び下刃の刃先と第１ピンと第２ピンとが略同一直線上になるように構成し、かつ第２ピンの動きをスライド受けに形成した溝カムにより規制するようにしたことを特徴とするものである。なお、スライド受けに形成した溝カムにより、被覆切断時における上刃の回転中心が第１ピンよりも上方にシフトさせたかの如く刃物台を動かすことが好ましく、このためにスライド受けに形成した溝カムを、下部が前方に屈曲した形状のものとすることが好ましい。
【発明の効果】
【０００８】
本発明の電線の被覆剥離工具は、被覆切断時において上刃及び下刃の刃先と第１ピンと第２ピンとが略同一直線上になるように構成し第１ピンの位置を低くしたので、工具の頭部を小型化することができ、狭い場所で作業する場合にも使い易くなる利点がある。しかも第２ピンの動きをスライド受けに形成した溝カムにより規制することにより、被覆切断時における上刃の回転中心を第１ピンよりも上方にシフトさせたかの如く刃物台を動かすことができるので、第１ピンの位置を低くしたにもかかわらず上刃が閉じるときの軌跡が後方にずれることがなくなり、上刃による被覆への切り込み位置と下刃による被覆への切り込み位置とのずれを小さくすることができる。このためハンドル操作を軽快に行うことが可能となる。
【発明を実施するための最良の形態】
【０００９】
次に、本発明の好ましい実施の形態を図面に基づいて詳細に説明する。図１は本発明の電線の被覆剥離工具を示す図である。１は本体であり、その基部は滑り止め用の凹凸が形成された握り手２となっている。本体１の斜め下方に傾斜させた中央部には、第１ピン３によりハンドル４の先端が軸支されている。図示のように本体１の中央部よりも先端側は下方に延びて下顎５を形成し、下顎５の上面には両側にガイドを備えた下刃６が固定されている。なお本明細書において、前方とは図１における左方向、すなわち刃先のある方向を意味するものとし、上下方向については図１における上下方向、すなわち握り手２のある方向を上、ハンドル４のある方向を下とする。
【００１０】
この第１ピン３には３つの部材が支持されている。各部材の単品形状を図６に示す。第１の部材はヘッド７であり、孔１９を中心として僅かに回転できるように第１ピン３に軸支されている。このヘッド７は他の第２、第３の部材とは異なりスライド運動は行わない。ヘッド７の後方部分には長孔８を設けてある。図５に示すように、ヘッド７の先端部分は略直角に屈曲されて剥離時に電線を押さえる役割を持つ。
【００１１】
第２の部材は刃物台９である。この刃物台９の先端部分も略直角に屈曲され、下向きの上刃１０がネジ止めされている。図４に示すようにこれらの上刃１０と下刃６とは電線の被覆に切り込めるが芯線を切断しないように、凹状に形成されている。
【００１２】
この刃物台９は被覆を剥離するために後方にスライドできるものであり、第１ピン３との係合部分は長孔１１となっている。また刃物台９の後部の孔２０には第２ピン１２が貫通している。上刃１０の刃先と長孔１１と孔２０とは、略一直線上にある。この第２ピン１２にはリンク１３の先端が軸支されており、リンク１３の他端はハンドル４の第３ピン１４に軸支されている。第３ピン１４はハンドル先端の第１ピン３よりもやや離れた位置にある。
【００１３】
このように刃物台９は第１ピン３と第２ピン１２とによって本体１に支持されたものであり、第１図の状態からハンドル４を閉じると、上刃１０が被覆に切り込む図２に示す位置までは第１ピン３を中心として回転するが、被覆に切り込みそれ以上の回転が阻止されると、リンク１３により後方に引かれ図３に示す位置までスライドするようになっている。
【００１４】
第３の部材はスライド受け１５である。図１に示すようにスライド受け１５の先端は本体１の下顎５と接する位置まで下方に屈曲され、その先端には剥離刃１６が上向きに形成されている。スライド受け１５も被覆を剥離するために後方にスライドできるものであり、第１ピン３との係合部分は図６に示すように長孔１７となっている。また第２ピン１２との係合部分は溝カム１８となっている。
【００１５】
溝カム１８の形状は図７に示すとおりであり、長孔１７の後端にある第１ピン３を中心とする円弧形状よりも、下部を前方にシフトさせた形状のものである。溝カム１８の機能については、以下に説明する。なお第３ピン１４の周りに設けられたスプリング２１によりリンク１３は常に前方に段発されているため、リンク１３の上端の第２ピン１２は常に溝カム１８の前面に沿って移動することとなる。
【００１６】
このように構成された本発明の工具により電線の被覆を剥離するには、先ず図１に示すように、本体１に対してハンドル４を大きく開き、下顎５の下刃６の上面に電線を載せる。この状態からハンドル４を閉じて行くと、第３ピン１４によりリンク１３が押し上げられ、刃物台９は第１ピン３を中心として回転してその先端の上刃１０が下降する。なお第１ピン３はスライド受け１５の長孔１７の後端に位置している。
【００１７】
この間は第２ピン１２がスライド受け１５の溝カム１８の内部を上昇するが、刃物台９の後部の孔２０に貫通している第２ピン１２も溝カム１８のカム形状に沿った動きをする。このため、第１ピン３と第２ピン１２とによって支持されている刃物台９は従来のように第１ピン３を中心として回転するのではなく、上刃１０は図７，図８に示すような軌跡を描いて下降し、あたかもその回転中心を第１ピン３よりも上方かつ前方にシフトさせたかのような動きをする。なお図８には２種類のカム形状に対応する軌跡を示したが、何れの場合にも軌跡の曲率中心は図７に示すように第１ピン３よりも前方かつ上方にある。なお図９に本発明の溝カム１８を採用した場合と、従来の円弧形状の長孔の場合とにおける上刃１０の軌跡を示した。
【００１８】
このため刃物台９の先端の上刃１０は下顎５の下刃６の上面に向かって降下し、図２の状態において被覆を切断する。そして図２の状態から更にハンドル４を閉じて行くと、第２ピン１２はスライド受け１５の溝カム１８の上端に達しているためそれ以上は上昇することができず、リンク１３から加えられる力によって第２ピン１２はヘッド７の長孔８に沿って後方にスライドする。このため、刃物台９とスライド受け１５は図３の位置まで後方にスライドすることとなり、刃物台９の上刃１０とスライド受け１５の剥離刃１６とによって挟まれた被覆が図１０のように剥離される。しかし電線は下顎５の下刃６とヘッド７の先端部分とによって挟まれたまま動かず、被覆のみをスムーズに剥離できる。
【００１９】
このように、本発明の工具はハンドル４の操作のみにより電線の被覆を容易に剥離することができるものであり、特に図２に示す被覆切断時において、上刃１０及び下刃６の刃先と第１ピン３と第２ピン１２とが略同一直線上になるように構成して第１ピン３の位置を低くしたので、工具の頭部を小型化することができ、狭い場所で作業する場合にも使い易いものである。しかも第２ピン１２の動きをスライド受け１５に形成した溝カム１８により規制し、被覆切断時における上刃１０の回転中心を第１ピン３よりも前方かつ上方にシフトさせたので、第１ピン１２の位置を低くしたにもかかわらず上刃１０が閉じるときの軌跡が下刃６よりも後方にずれることがなくなり、上刃１０による被覆への切り込み位置と下刃６による被覆への切り込み位置とのずれを小さくすることができ、ハンドル操作を軽快に行うことが可能となる。
【図面の簡単な説明】
【００２０】
【図１】本発明の電線の被覆剥離工具を示す正面図である。
【図２】被覆切断時の状態を示す内部構造図である。
【図３】被覆剥離完了時の状態を示す内部構造図である。
【図４】図２の状態における頭部の側面図である。
【図５】図３の状態における平面図である。
【図６】ヘッド、刃物台、スライド受けの単品図である。
【図７】溝カムの形状と刃物台の動きを示す説明図である。
【図８】上刃の軌跡を示す拡大図である。
【図９】溝カムの形状と上刃の軌跡を示す説明図である。
【図１０】被覆の剥離状態の説明図である。
【図１１】従来例における被覆切断時の状態を示す正面図である。
【図１２】従来例における被覆剥離完了時の状態を示す正面図である。
【図１３】従来例における上刃の動きの説明図である。
【図１４】従来例において第１ピンを下げた場合を示す説明図である。
【図１５】図１３と図１４の場合における上刃の軌跡を示す拡大図である。
【符号の説明】
【００２１】
１  本体
２  握手
３  第１ピン
４  ハンドル
５  下顎
６  下刃
７  ヘッド
８  長孔
９  刃物台
１０  上刃
１１  長孔
１２  第２ピン
１３  リンク
１４  第３ピン
１５  スライド受け
１６  剥離刃
１７  長孔
１８  溝カム
１９  孔
２０  孔
２１  スプリング
【図１】
2006087162.tif 000003
【図２】
2006087162.tif 000004
【図３】
2006087162.tif 000005
【図４】
2006087162.tif 000006
【図５】
2006087162.tif 000007
【図６】
2006087162.tif 000008
【図７】
2006087162.tif 000009
【図８】
2006087162.tif 000010
【図９】
2006087162.tif 000011
【図１０】
2006087162.tif 000012
【図１１】
2006087162.tif 000013
【図１２】
2006087162.tif 000014
【図１３】
2006087162.tif 000015
【図１４】
2006087162.tif 000016
【図１５】
2006087162.tif 000017